【事件の表示】
　上記当事者間の登録第２６１４３２２号商標の商標登録無効審判事件について、次のとおり審決する。
【結　論】
　登録第２６１４３２２号の登録を無効とする。
　審判費用は被請求人の負担とする。
【理　由】
第１　本件商標
　本件登録第２６１４３２２号商標（以下、「本件商標」という。）は、平成元年３月３０日に登録出願、「ＧＩＡＮＮＩ ＶＡＬＥＮＴＩＮＯ」の欧文字を横書きしてなり、第２２類「はき物、かさ、つえ、これらの部品および附属品」を指定商品として、同５年１２月２４日に設定登録されたものである。
　
第２　請求人の引用商標
　請求人が引用する商標は、以下のとおりである。
１　登録第１７８６８２０号商標（以下、「引用Ａ商標」という。）は、「ＶＡＬＥＮＴＩＮＯ　ＧＡＲＡＶＡＮＩ」の欧文字を横書きしてなり、昭和４９年１０月１日に登録出願、第２２類「はき物（運動用特殊ぐつを除く）かさ、つえ、これらの部品及び附属品」を指定商品として、同６０年６月２５日に設定登録され、現に有効に存続しているものである。
２　登録第１４１５３１４号商標（以下、「引用Ｂ商標」という。）は、「ＶＡＬＥＮＴＩＮＯ　ＧＡＲＡＶＡＮＩ」の欧文字を横書きしてなり、昭和４９年１０月１日に登録出願、第１７類「被服（運動用特殊被服を除く）布製身回品（他の類に属するものを除く）寝具類（寝台を除く）」を指定商品として、同５５年４月３０日に設定登録され、現に有効に存続しているものである。
３　登録第９７２８１３号商標（以下、「引用Ｃ商標」という。）は、「ＶＡＬＥＮＴＩＮＯ」の欧文字を横書きしてなり、昭和４５年４月１６日に登録出願（優先権主張１９６９年１０月１６日、オランダ王国）、第２１類「宝玉、その他本類に属する商品」を指定商品として、同４７年７月２０日に設定登録、その後、一部放棄により指定商品中の「かばん類、袋物」についての商標権の一部抹消の登録がなされ、現に有効に存続しているものである。
４　登録第１７９３４６５号商標（以下、「引用Ｄ商標」という。）は、「ＶＡＬＥＮＴＩＮＯ　ＧＡＲＡＶＡＮＩ」の欧文字を横書きしてなり、昭和４９年１０月１日に登録出願、第２１類「装身具、ボタン類、かばん類、袋物、宝玉及びその模造品、造花、化粧用具」を指定商品として、同６０年７月２９日に設定登録され、現に有効に存続しているものである。
５　登録第１４０２９１６号商標（以下、「引用Ｅ商標」という。）は、「ＶＡＬＥＮＴＩＮＯ　ＧＡＲＡＶＡＮＩ」の欧文字を横書きしてなり、昭和４９年１０月１日に登録出願、第２７類「たばこ、喫煙用具、マツチ」を指定商品として、同５４年１２月２７日に設定登録され、現に有効に存続しているものである。
　
第３　請求人の主張
　請求人は、結論同旨の審決を求めると申し立て、その理由及び答弁に対する弁駁を要旨次のように述べ、証拠方法として甲第１号証ないし同第３５号証（枝番を含む。）を提出した。
１　商標法第４条第１項第８号について
　請求人は、イタリアの服飾デザイナーとして全世界に著名な「ＶＡＬＥＮＴＩＮＯ　ＧＡＲＡＶＡＮＩ」（ヴァレンティノ　ガラヴァーニ）の同意を得て、同氏のデザインに係る各種の商品を製作、販売し、これらの商品に「ＶＡＬＥＮＴＩＮＯ　ＧＡＲＡＶＡＮＩ」、あるいは「ＶＡＬＥＮＴＩＮＯ」の欧文字からなる商標を使用している者であるが、上記の「ＶＡＬＥＮＴＩＮＯ　ＧＡＲＡＶＡＮＩ」の氏名は単に「ＶＡＬＥＮＴＩＮＯ」（ヴァレンティノ）と略称されており、この略称も本件商標の登録出願の日前より全世界に著名なものとなっているところであり、この略称の著名なことは甲第８号証（商願昭６１−８１５１６号に対する登録異議の申立てについての決定謄本）をはじめとして、甲第１３号証、同第１５号証、同第１６号証、同第２０号証、同第２３号証、同第３２号証及び同第３４号証（報知新聞）によって立証されている。
　しかるところ、本件商標を構成する「ＧＩＡＮＮＩ　ＶＡＬＥＮＴＩＮＯ」の文字の後半部の「ＶＡＬＥＮＴＩＮＯ」の文字は、上記「ＶＡＬＥＮＴＩＮＯ　ＧＡＲＡＶＡＮＩ」（ヴァレンティノ　ガラヴァーニ）の氏名の著名な略称を含む商標でことは明らかであり、その他人の承諾を得ずに登録出願されたものであることが明らかである。
　したがって、本件商標は商標法第４条第１項第８号に違反して登録されたものである。
２　商標法第４条第１項第１１号について
　本件商標と引用Ａ商標を比較するに、本件商標は、前記に示すとおり、「ＧＩＡＮＮＩ　ＶＡＬＥＮＴＩＮＯ」の欧文字よりなるものであるところ、その全体を称呼するときは「ジアンニヴァレンティノ」の９音にも及ぶ冗長なものとなるばかりでなく、「ジアンニ」と「ヴァレンティノ」の間に段落を生ずるものであり、しかも、上記のデザイナー「ＶＡＬＥＮＴＩＮＯ　ＧＡＲＡＶＡＮＩ」の氏名が「ＶＡＬＥＮＴＩＮＯ」（ヴァレンティノ）と略称されて著名なものとなっていることとも相挨って、本件商標は、単に「ＶＡＬＥＮＴＩＮＯ」の文字に相応する「ヴァレンティノ」の称呼をもって、取引に資される場合が決して少なくないものとみるのが自然である。
　したがって、本件商標は、「ヴァレンティノ」の称呼をも生ずるものといわざるを得ない。
　一方、引用Ａ商標は、「ＶＡＬＥＮＴＩＮＯ　ＧＡＲＡＶＡＮＩ」の欧文字を書してなるものであって、これはイタリアの著名なデザイナー「ＶＡＬＥＮＴＩＮＯ　ＧＡＲＡＶＡＮＩ」の氏名を表すものであるが、婦人服、紳士服、ネクタイ等の被服、バック、ベルト、靴、ライター等に使用された結果、全世界に著名な商標となっていることは、甲第９号証（商願昭６２−１３２０６５号に対する登録異議の申立てについての決定謄本）によっても明らかであり、その構成文字全体から生ずる「ヴァレンティノガラヴァーニ」の称呼の他、構成文字前半の「ＶＡＬＥＮＴＩＮＯ」の文字に相応する「ヴァレンティノ」の称呼をもって取引に資されている場合も決して少なくないのが実情である。
　そうとすれば、引用Ａ商標は、「ヴァレンティノ」の称呼をも生ずるものである。
　してみれば、本件商標と引用Ａ商標は、「ヴァレンティノ」の称呼を共通にする類似の商標であることは明らかであり、また、本件商標と引用Ａ商標の指定商品が同一のものであることも明らかであるから、結局、本件商標は、商標法第４条第１項第１１号の規定に違反して登録されたものである。
３　商標法第４条第１項第１５号について
　請求人は、引用Ａ商標の指定商品以外の商品についても、多数の登録商標を使用している。これらのうち、引用ＢないしＥ商標を引用する。
　そして、請求人の「ＶＡＬＥＮＴＩＮＯ」、あるいは「ＶＡＬＥＮＴＩＮＯ　ＧＡＲＡＶＡＮＩ」の文字からなる商標は、これが「被服、ネクタイ、バッグ、ベルト、靴、ライター」等に使用され、本件商標の登録出願日(平成元年３月３０日)前から周知、著名であることは特許庁においても明らかである(甲第９号証ないし同第３４号証)。
　また、本件商標と引用ＡないしＥ商標が称呼上類似する商標であることは上記２で述べたとおりであり、本件商標の指定商品と各引用商標が使用されている商品はいずれも服飾品の範疇に属する密接な関係にある商品である。
　したがって、本件商標は、これを被請求人がその指定商品に使用するときは、その商品が恰も請求人の製造、販売等の業務に係る商品であるか、又は請求人と経済的、組織的に何等かの関係にある者、すなわち、姉妹会社等の関係にある者の業務に係る商品であるかの如く、その出所について混同を生ぜしめるおそれがあるものであるから、本件商標は商標法第４条第１項第１５号に違反して登録されたものといわざるをえない。
　
第４　被請求人の答弁
　被請求人は、本件審判の請求は、これを却下する、又は本件審判の請求は成り立たない、審判費用は請求人の負担とする、との審決を求めると答弁し、その理由を要旨次のように述べ、証拠方法として乙第１号証ないし乙第３０号証(枝番を含む。)及び資料１ないし３０を提出した。
１　利害関係の有無について
　本件審判の請求は利害関係人によるべきところ、請求人は本件審判の請求について利益を有するものであるのか何ら説明をしていない。
　したがって、本件審判の請求は利害関係を有しないものによってなされた不適法なものであるから、商標法第５６条において準用する特許法第１３５条の規定により、その請求は却下されるべきである。
２　商標法第４条第１項第８号について
（１）請求人は、「ＶＡＬＥＮＴＩＮＯ」の文字がイタリアの服飾デザイナー「ＶＡＬＥＮＴＩＮＯ　ＧＡＲＡＶＡＮＩ」(ヴァレンティノ　ガラヴァーニ)の氏名の著名な略称であると主張しているが、同氏の略称としてのみ著名であるとの事実は全くなく、著名であるとする証拠も本件に関してはなんら提出されていないものである。
　甲第８号証の２(登録異議の決定)においては、「『ＶＡＬＥＮＴＩＮＯ』の文字が・・『ＶＡＬＥＮＴＩＮＯ　ＧＡＲＡＶＡＮＩ』の著名な略称でもある・・」とあるが、「『ＶＡＬＥＮＴＩＮＯ　ＧＡＲＡＶＡＮＩ』のみの著名な略称である・・」とは記載されていない。
　わが国に世界の一流品、世界のブランドを紹介する雑誌においても、請求人の商標「ＶＡＬＥＮＴＩＮＯ　ＧＡＲＡＶＡＮＩ」を始めとして、「Ｍａｒｉｏ　Ｖａｌｅｎｔｉｎｏ」、「Ｖａｌｅｎｔｉｎｏ　Ｒｕｄｙ」等が掲載されている(乙第１号証)が、いずれの商標も「ＶＡＬＥＮＴＩＮＯ」とのみ略称して使用されていないし、「ＶＡＬＥＮＴＩＮＯ」が請求人の商標として著名であるとの事実もない。
（２）「ＶＡＬＥＮＴＩＮＯ」の文字を含むデザイナーは複数存在し、それぞれ自らの氏名を商標として使用しているが、これらのデザイナーの間では、他のデザイナーに不側の不利益を及ぼさないように氏名商標として一連に表示すべきであるという認識が広まっており、これによって秩序が保たれている。
　甲第３３号証(新聞広告)には、ベルト、バッグについて、「ｖａｌｅｎｔｉｎｏ　ｇａｒａｖａｎｉ」、「Ｍａｒｉｏ　Ｖａｌｅｎｔｉｎｏ」の各商標が同一紙面上に掲載されている。
　乙第２号証の１(商品広告)においては、バッグ、財布、靴、子供服について、被請求人の商標「ＧＩＡＮＮＩ　ＶＡＬＥＮＴＩＮＯ」「ジャンニ　バレンチノ」と「Ｒｕｄｏｌｐｈ　Ｖａｌｅｎｔｉｎｏ」「ルドルフ　バレンチノ」の各商標が同一紙面上に掲載され、また、乙第２号証の２(商品広告)においても、眼鏡について、「Ｖａｌｅｎｔｉｎｏ　Ｒｕｄｙ」、「ＶＡＬＥＮＴＩＮＯ　ＣＨＲＩＳＴＹ」、「ＡＮＤＲＥ　ＶＡＬＥＮＴＩＮＯ」の各商標が同一紙面上に掲載されている。
　このように、「ＶＡＬＥＮＴＩＮＯ」、「バレンチノ」等の文字を含む商標を付した商品は多数存在し、同一紙面上で広告掲載されたり、売場を同じくすることも少なくないが、いずれにおいても問題は生じていない。
（３）かかる取引の実情を考慮すると、「ＶＡＬＥＮＴＩＮＯ」の文字を含む商標所有者が「ＶＡＬＥＮＴＩＮＯ」とのみ省略して使用するときは、かえって他のデザイナーとの区別がつかなくなり、需要者・取引者をしてそれらの者の業務に係る商品を表示するものとして識別することを困難にせしめ、商取引を混乱に陥れることになり兼ねないと考えられる。
  甲第１３号証の２、甲第１５号証の２、甲第１５号証の３、甲第１６号証の２、甲第２０号証の２、甲第２３号証の３、甲第３２号証の２、甲第３２号証の３、甲第３２号証の５（雑誌）の記載等をみると、被服について、「ｖａｌｅｎｔｉｎｏ」「ヴァレンティノ」の文字とともに、「ヴァレンティノ・ガラヴァーニ」「ｖａｌｅｎｔｉｎｏ　ｇａｒａｖａｎｉ」「ＶＡＬＥＮＴＩＮＯ　ＧＡＲＡＶＡＮＩ」等の文字が使用されており、これにより、デザイナー「ＶＡＬＥＮＴＩＮＯ　ＧＡＲＡＶＡＮＩ」(バレンティノ　ガラバーニ)に係る商標であることを担保しようとする請求人の意思が推認される。
　他方、甲第３４号証(新聞記事)には、単に「バレンチノ」と記載され、「イタリアの有名デザイナー」である旨付記されているが、前記の「マリオ・バレンティノ」等も「イタリアの有名デザイナー」であり、かかる記載のみからはどのデザイナーなのか特定することは極めて困難である。
（４）よって、「ＶＡＬＥＮＴＩＮＯ」の文字は、「ＶＡＬＥＮＴＩＮＯ　ＧＡＲＡＶＡＮＩ」の氏名の略称として著名であるとの事実は認められず、本件商標は氏名商標として一連に表示したものとして認識されるのであるから、商標法第４条第１項第８号に該当しないものである。
（５）なお、本件商標は、イタリアの著名なデザイナー「ＧＩＡＮＮＩ　ＶＡＬＥＮＴＩＮＯ」（ジアンニ　バレンチノ）の文字を書してなるものであるが、同氏からの承諾（乙第３号証）に基づき、被請求人の関連会社であるヤング産業株式会社が、本件商標に係る商標権を取得した後、同社から被請求人に譲り渡されたものである。
　わが国には、「ＧＩＡＮＮＩ　ＶＡＬＥＮＴＩＮＯ」の商標の使用に関して１９社のライセンシーと４社のサブライセンシーが存在するが、ヤング産業株式会社はジャンニ・バレンチノ事務局として機能し、被請求人も同社に本件商標の管理運営を委託している（乙第４号証ないし同第６号証）。
３　商標法第４条第１項第１１号について
（１）本件商標と引用Ａ商標の類否について比較検討すると、両商標は、その構成において顕著に相違しており、外観上の差異は明確に区別して認識することができるから、外観において相紛れるおそれのない非類似の商標である。
　つぎに、本件商標と引用Ａ商標の称呼及び観念について検討すると、本件商標は、イタリアのデザイナー「ジアンニ　バレンチノ」の氏名を表したものであり、その構成文字に相応して「ジアンニ　バレンティノ」の称呼が生ずるものであるのに対し、引用Ａ商標は、イタリアのデザイナー「バレンチノ　ガラバーニ」の氏名を表したものであり、その構成文字に相応して「バレンチノ　ガラバーニ」の称呼が生ずるものである。
　そこで、本件商標の称呼と引用Ａ商標の称呼を比較すると、「ジアンニ」「ガラバーニ」の有無という明確な差異があるため全体の語感語調は全く異なり、明瞭に区別して聴取することができるものである。
　また、両商標は観念上も明らかに相違するものである。
（２）請求人は、本件商標について、「ＧＩＡＮＮＩ」の文字と「ＶＡＬＥＮＴＩＮＯ」の文字の間に段落を生ずるものであるから、需要者一般に親しまれている「ＶＡＬＥＮＴＩＮＯ」の文字に相応して「ヴァレンティノ」の称呼が生じ、また、同じく引用Ａ商標「ＶＡＬＥＮＴＩＮＯ　ＧＡＲＡＶＡＮＩ」は「ＶＡＬＥＮＴＩＮＯ」の文字に相応して「ヴァレンティノ」の称呼が生じ、本件商標と引用Ａ商標は類似すると主張する。
　しかしながら、本件指定商品の属する第２２類のみを取り上げても、「ＶＡＬＥＮＴＩＮＯ」の文字を含む商標は多数存在し、引用Ａ商標、「ＧＡＲＡＶＡＮＩ　ＶＡＬＥＮＴＩＮＯ」、「ＭＡＲＩＯ　ＶＡＬＥＮＴＩＮＯ」、「ＶＡＬＥＮＴＩＮＯ　ＲＵＤＹ」、「Ｔｏｓｃａｎｉ　Ｖａｌｅｎｔｉｎｏ」、「Ｖａｌｅｎｔｉｎｏ／ｏｒｌａｎｄｉ」の各商標は、いずれも一体不可分の商標として認識され、別異の商標であると判断されている(乙第７号証ないし同第１２号証)。
（３）取引の実際においては、「ＶＡＬＥＮＴＩＮＯ」の文字を含むデザイナーが他にも存在し、「ＶＡＬＥＮＴＩＮＯ」の文字を含む一連の商標とその他の「ＶＡＬＥＮＴＩＮＯ」の文字を含む一連の商標とは、別異の商標として認識され取引に資されているのであり、需要者をして商品の出所につき混同を生ぜしめるおそれはないものである。
　それ故、引用Ａ商標が、たとえ甲第９号証（登録異議の申立ての決定）に記載されているように、「『ＶＡＬＥＮＴＩＮＯ』或いは『ＶＡＬＥＮＴＩＮＯ　ＧＡＲＡＶＡＮＩ』からなる商標を・・・使用され、・・・周知著名である・・・」としても、請求人のみが「ＶＡＬＥＮＴＩＮＯ」とのみ省略して取引するときは、他のデザイナーとの区別がつかなくなり、秩序を乱すこととなる。
（４）したがって、本件商標と引用商標とは、相紛れるおそれのない非類似の商標であり、本件商標は、商標法第４条第１項第１１号に該当するものではない。
４　商標法第４条第１項第１５号について
（１）被請求人は、「ＶＡＬＥＮＴＩＮＯ　ＧＡＲＡＶＡＮＩ」の商標が著名なものであることを否定するものでは決してない。
　しかしながら、「ＶＡＬＥＮＴＩＮＯ」の商標、「ＶＡＬＥＮＴＩＮＯ」の略称は、たとえ請求人が使用していても請求人の商標として著名であるとの事実は全くない。
　すなわち、被服、ハンドバック、くつ等の商品分野では、請求人と同等あるいはそれ以上に著名なイタリーのデザイナー「マリオ・バレンティノ」がおり、同人が使用する「ＭＡＲＩＯ　ＶＡＬＥＮＴＩＮＯ」の商標は著名商標として認識されている。乙第１号証(雑誌)においては、「ＶＡＬＥＮＴＩＮＯ　ＧＡＲＡＶＡＮＩ」、「ＭＡＲＩＯ　ＶＡＬＥＮＴＩＮＯ」等が掲載されているが、いずれの商標も「ＶＡＬＥＮＴＩＮＯ」とのみ略称して使用されていない。
（２）「ＶＡＬＥＮＴＩＮＯ」の商標、略称が請求人の商標として周知著名ではないことは、他の商品区分での審査における判断でも支持されているものである。
　すなわち、「ＧＩＡＮＮＩ　ＶＡＬＥＮＴＩＮＯ」の商標、「ＧＩＡＮＮＩ　ＶＡＬＥＮＴＩＮＯ」の文字を含む商標について、多くの商品区分で登録を得ており、出願公告後にグロベレガンセ　ビー　ベーという会社から登録異議申立てを受けたが、いずれの商品区分においても、登録異議申立ての理由はないとの決定がなされている（乙第１４号証及び同第１５号証、乙第１７号証及び同第２０号証、乙第２１号証及び同第２２号証、乙第２３号証ないし同第２８号証）。
（３）このことは、過去の審判事件における審決例によっても裏付けることができるものである。
　まず、第２１類における「Ｖａｌｅｎｔｉｎｏ　Ｆｒａｎｃｈｉｎｉ」の商標に対して、出願公告後、グロベレガンセ　ビー　ベーにより登録異議申立てがなされたが、登録異議申立てに対する決定においては、「Ｖａｌｅｎｔｉｎｏ　Ｆｒａｎｃｈｉｎｉ」の文字は、イタリアなどにおいてしばしばみられる男子の姓名を表したものと容易に理解し得るところであり、そして、姓と名のいずれか一方によってもなお、当該人を明らかに認識し得るが如き格別の事情があればともかく、通常かかる姓名の場合には、これを一体のものとして把握し観察するのが自然であって、いかに簡易迅速を尊ぶ商取引の実際を考慮しても「Ｖａｌｅｎｔｉｎｏ」と「Ｆｒａｎｃｈｉｎｉ」とを分離して、単に「ヴァレンティノ」と称呼されるとはみられないとされ、登録異議申立ての理由はないものと決定されている(乙第２９号証)。
　また、第１７類における「Ｖａｌｅｎｔｉｎｏ　Ｒｕｄｙ」の文字を含む商標に対して、出願公告後、グロベレガンセ　ビー　ベーにより登録異議申立てがなされたが、登録異議申立てに対する決定においては、「Ｖａｌｅｎｔｉｎｏ　Ｒｕｄｙ」の文字部分は欧米人の氏名を表すものであって、通常は構成全体の文字より生ずる一連の称呼をもって、取引に資されるとみるのが相当であるとされ、登録異議申立ての理由はないものと決定されている(乙第３０号証)。
（４）以上のように、「ＶＡＬＥＮＴＩＮＯ」の文字を含む商標は、請求人一人のものではなく、他にも著名商標が存在し取引市場を同じくしている以上、「ＶＡＬＥＮＴＩＮＯ」とのみ略称して使用するのは、かえって取引者・需要者をして混乱せしめることにならざるを得ない。
　よって、「ＶＡＬＥＮＴＩＮＯ」のみの商標、「ＶＡＬＥＮＴＩＮＯ」の略称は、請求人の使用に係るものとして周知著名なものではない。
　したがって、引用各商標中の「ＶＡＬＥＮＴＩＮＯ」の文字のみ、「ＶＡＬＥＮＴＩＮＯ」の略称のみからは「ＶＡＬＥＮＴＩＮＯ　ＧＡＲＡＶＡＮＩ」を看取し得ず、本件商標をその指定商品に使用しても、請求人若しくは同人と何らかの関係あるものの業務に係る商品であると誤認し、商品の出所につき混同を生ずるおそれはないものであるから、商標法第４条第１項第１５号に該当するものではない。
５　以上に述べたように、本件商標は、デザイナー「ＶＡＬＥＮＴＩＮＯ　ＧＡＲＡＶＡＮＩ」（バレンチノ　ガラバーニ）の氏名の著名な略称を含む商標ではないことから、商標法第４条第１項第８号に該当するものではなく、また、本件商標と引用Ａ商標とは非類似の商標であることから、同第１１号に該当するものではなく、さらに、本件商標は、請求人の業務に係る商品と混同するおそれもないところから、同第１５号に該当するものではない。
　よって、本件商標は、商標法第４６条第１項の規定によりその登録を無効とされるべき理由は全く存在しない。
　
第５　当審の判断
１　被請求人は、本件審判の請求については、利害関係を有しない者によってなされた不適当なものであるから、その請求は却下されるべきである旨主張するので、この点について検討するに、ある商標の登録の存在によって直接不利益を被る関係にある者は、それだけで利害関係人として当該商標の登録を無効にする審判を請求することにつき、利害関係を有する者に該当すると解するのが相当である。
　本件においては、請求人は、本件商標の登録が存在することにより、自己の取り扱いに係る商品と本件商標を使用した商品との間に、出所の誤認混同を生じさせるおそれがある、ないし請求人の人格権が害されると主張しているのであるから、本件商標の登録を無効にし、排除せんとすることは、商標権の本質に照らして当然の権利というべきものである。
　したがって、請求人は、本件商標の存在によって、直接不利益を受ける者であるから、本件審判の請求をするにつき、利害関係を有するというべきである。
２　請求人提出の甲第１３号証の１及び２(世界の一流品大図鑑’８１年版)、甲第１４号証の１及び２(世界の一流品大図鑑’８３年版)、甲第１５号証の１ないし４(世界の一流品大図鑑’８５年版)、甲第１６号証の１及び２(男の一流品大図鑑’８５年版)、甲第１７号証の１ないし８(世界の一流品大図鑑’８８年版)、甲第１８号証の１及び２(男の一流品大図鑑’８８年版)、甲第２０号証の１及び２(２５ａｎｓ　１９８７年１０月号)、甲第２１号証の１及び２(２５ａｎｓ　１９８９年５月号)、甲第２７号証の１ないし５(１９８８　ＳＰＲＩＮＧ　＆　ＳＵＭＭＥＲ　ＣＯＬＬＥＣＴＩＯＮ)、甲第２８号証の１及び２(１９８８　ＡＵＴＵＭＮ　＆　ＷＩＮＴＥＲ　ＣＯＬＬＥＣＴＩＯＮ)、甲第２９号証の１及び２(’８９　ＳＰＲＩＮＧ　＆　ＳＵＭＭＥＲ　ＣＯＬＬＥＣＴＩＯＮ)、甲第３３号証(昭和５７年１２月２４日付け日本経済新聞)、甲第３４号証(１９９１年(平成３年)７月２９日付け報知新聞)並びにイタリアのデザイナーである「Ｖａｌｅｎｔｉｎｏ　Ｇａｒａｖａｎｉ(ヴァレンティノ　ガラヴァーニ)」に関する職権による証拠調べを行ったところの「世界の一流品大図鑑ライフカタログＶＯＬ．１」(昭和５１年６月５日株式会社講談社発行)、「ＥＵＲＯＰＥ一流ブランドの本（講談社ＭＯＯＫ第２巻）」（昭和５２年１２月１日株式会社講談社発行）、「男の一流品大図鑑’８５年版」(昭和５９年１２月１日株式会社講談社発行)によれば、「Ｖａｌｅｎｔｉｎｏ　Ｇａｒａｖａｎｉ(ヴァレンティノ　ガラヴァーニ)」のデザインに係るハンドバッグ、ベルト、婦人服、紳士服、パーティーバッグ、フォーマルウェア、スポーツウェア、ネクタイ、婦人靴等は、我が国において、「ＶＡＬＥＮＴＩＮＯ　ＧＡＲＡＶＡＮＩ／ヴァレンティノ　ガラヴァーニ」、「ｖａｌｅｎｔｉｎｏ  ｇａｒａｖａｎｉ」、「ＶＡＬＥＮＴＩＮＯ　ＧＡＲＡＶＡＮＩ」、「ヴァレンティノ　ガラヴァーニ」などの表示をもって、または「ｖａｌｅｎｔｉｎｏ　ｇａｒａｖａｎｉ」若しくは「ＶＡＬＥＮＴＩＮＯ　ＧＡＲＡＶＡＮＩ」と「Ｖ」を図案化した図形を組み合わせた表示をもって紹介されている。(「ＶＡＬＥＮＴＩＮＯ　ＧＡＲＡＶＡＮＩ／ヴァレンティノ　ガラヴァーニ」、「ｖａｌｅｎｔｉｎｏ　ｇａｒａｖａｎｉ」、「ＶＡＬＥＮＴＩＮＯ　ＧＡＲＡＶＡＮＩ」、「ヴァレンティノ　ガラヴァーニ」の各表示、「ｖａｌｅｎｔｉｎｏ　ｇａｒａｖａｎｉ」または「ＶＡＬＥＮＴＩＮＯ  ＧＡＲＡＶＡＮＩ」と「Ｖ」を図案化した図形を組み合わせた表示について、以下「ＶＡＬＥＮＴＩＮＯ(ヴァレンティノ)商標」という。)
３　イタリアのデザイナーである「Ｖａｌｅｎｔｉｎｏ　Ｇａｒａｖａｎｉ(ヴァレンティノ　ガラヴァーニ)」に関して行った職権による証拠調べによれば、以下の事実が認められる。
（１）「服飾辞典」(昭和６３年９月１０日第１０刷文化出版社発行)には、「イタリア北部の都市に生まれる。１７才でリセオ（中学）を中退、パリに行く。スチリストになるため、パリのサンジカ(パリ高級衣装店組合の学校)で技術を身につける。１９５１年、ジャン・デッセ（オート・クチュール）のもとで５年間アシスタントとして仕事をする。その後２年間、ギ・ラローシュのアシスタントをし、１９５８年独立、ヴァレンティーノ・クチュールの名でローマに店を開いた。このころ、イタリアのモードは世界的に有名になりつつあった。彼の最初の仕事は、フィレンツェのピッティ宮殿でのコレクションである。このコレクションは、〈白だけの服〉という珍しい演出であったが、その美しさはジャーナリストの間で評判になり、「ニューズ・ウィーク」「ライフ」「タイム」「ウィメンズ・ウェア・デイリー」各誌紙で取材、モードのオスカー賞を獲得した。１９６７年、ヴァレンティーノの名は世界に知れわたった。１９７２年には紳士物も始め、その他アクセサリー、バッグ、宝石類、香水、化粧品、家具、布地、インテリアと、その仕事の幅はたいへん広いが、すべてヴァレンティーノ独特のセンスを保っているのはみごとである。ヴァレンティ−ノの洋服に対する考えは、まず個性が第一で、彼のコレクションからは、デテールでなくそのエスプリをくみ取ってもらうことに重きをおく。ローマの高級住宅地、アッピア・アンティカに母親とたくさんの犬と暮らしている。仕事でパリとローマを行き来するが、世界中を旅行するなど忙しい日々である。物をつくる人は誰でも波があって、いつも傑作が続くとはかぎらないが、ヴァレンティーノは現在、ローマのオート・クチュール界で最も好調なデザイナーといえる。以前から東洋風なエキゾティシズムが好きで、時によってトルコ風、アラブ風の特色がみられるが、最近はキモノのセクシーさを１９５０年代のハリウッドの雰囲気に表現、あやしく美しいヴァレンティーノの世界をつくり出している。」との記載がある。
（２）「英和商品名辞典」(１９９１年初版第３刷株式会社研究社発行)には、「イタリア　ＲｏｍａのデザイナーＶａｌｅｎｔｉｎｏ　Ｇａｒａｖａｎｉ(１９３２?)のデザインした婦人・紳士物の衣料品・毛皮・革製バッグ・革小物・ベルト・ネクタイ・アクセサリー婦人靴・香水・ライター・インテリア用品など。Ｒｏｍａ，Ｆｉｒｅｎｚｅ，Ｍｉｌａｎｏなどにあるその店の名称はＶａｌｅｎｔｉｎｏ（ｖは小文字で書くこともある）。・・・１９６７年にＦｉｒｅｎｚｅで白一色のコレクションを発表してマスコミに大きく取り上げられ、一躍その名を高めた。」との記載がある。
（３）「岩波＝ケンブリッジ世界人名辞典」(１９９７年１１月２１日岩波書店発行)には、「ガラヴァーニ，ヴァレンティノ　Ｇａｒａｖａｎｉ，Ｖａｌｅｎｔｉｎｏ」の項において「通称ヴァレンティノ　Ｖａｌｅｎｔｉｎｏ（伊　１９３３−）服飾デザイナー．ローマ生まれ．ミラニとパリでファッションを勉強し、その後、パリのジャン・デッセ（１９０４−７０）とギー・ラロシュのもとで働く．１９５９年に自分の店をローマに開くが、世界的に認められるようになったのは１９６２年のフィレンツェでのショーＫＡＲＡＤＥＡＲＵ．」との記載がある。
４　請求人提出の甲第１３号証の２、甲第１５号証の２及び３、甲第１６号証の２、被請求人提出の乙第１号証の１(世界の一流品大図鑑’８５年版；２７頁、１５１頁)、乙第１号証の２(世界の特選品’８６；１３６頁、１７５頁、１９１頁)並びにイタリアのデザイナーである「Ｖａｌｅｎｔｉｎｏ　Ｇａｒａｖａｎｉ(ヴァレンティノ　ガラヴァーニ)」に関して行った職権による証拠調べを行ったところの「ｎｏｎ‐ｎｏ　’８９Ｎｏ，２３号」（平成元年１２月５日株式会社集英社発行）、「ｍａｒｉｅ　ｃｌａｉｒｅ　１９９６．２」（１９９６年２月１日中央公論社発行）によれば、「Ｖａｌｅｎｔｉｎｏ　Ｇａｒａｖａｎｉ(ヴァレンティノ　ガラヴァーニ)」の氏名、またはそのデザインに係る商品について、単に「ヴァレンティノ」の表示のみで紹介されている。
５　前記２ないし４で認定した事実によれば、「ＶＡＬＥＮＴＩＮＯ(ヴァレンティノ)商標」は、「Ｖａｌｅｎｔｉｎｏ　Ｇａｒａｖａｎｉ(ヴァレンティノ　ガラヴァーニ)」のデザインに係る商品群を表示するブランドとして、本件商標の登録出願日前より、我が国のファッション関連商品の分野において広く認識されていたものと認め得るところであり、その著名性は、本件商標の登録査定時においても継続していたということができる。
　そして、「ヴァレンティノ」(若しくは「バレンチノ」)の表示は、「Ｖａｌｅｎｔｉｎｏ　Ｇａｒａｖａｎｉ(ヴァレンティノ　ガラヴァーニ)」の氏名、またはそのデザインに係る商品群に使用されるブランド(「ＶＡＬＥＮＴＩＮＯ(ヴァレンティノ)商標」)の略称を表すものとして、本件商標の登録出願前より、我が国のファッション関連の商品分野の取引者及び需要者の間で広く認識されていたものというのが相当である。
６　出所の混同について
（１）本件商標及びその指定商品について
ア　本件商標は、前記のとおり「ＧＩＡＮＮＩ　ＶＡＬＥＮＴＩＮＯ」の文字よりなるものであるところ、その構成中に、前記５．で認定した「Ｖａｌｅｎｔｉｎｏ　Ｇａｒａｖａｎｉ(ヴァレンティノ　ガラヴァーニ)」のデザインに係るハンドバッグ、ベルト、婦人服、紳士服、パーティーバッグ、フォーマルウェア、スポーツウェア、ネクタイ、婦人靴等について使用され、本件商標の登録出願前より、我が国においても取引者及び需要者の間に広く認識されている「ＶＡＬＥＮＴＩＮＯ(ヴァレンティノ)商標」の略称として、我が国において著名な「ヴァレンティノ」と同一の称呼を生ずる「ＶＡＬＥＮＴＩＮＯ」の文字を含むものである。
イ　本件商標の指定商品は、前記のとおり、「はき物、かさ、つえ、これらの部品および附属品」とするものであるところ、該商品は、ファションに関連する商品であって、統一ブランドの下に被服等と合わせてトータル的にファションをまとめようとする昨今においては、著名なデザイナーがデザインし、そのデザイナーの名前をブランドとした商品が市場に多数出回っている実情にある。
（２）上記（１）ア及びイで認定した、本件商標の構成態様及び取引の実情よりすれば、本件商標をその指定商品について使用した場合は、これに接する取引者及び需要者は、その構成中の「ＶＡＬＥＮＴＩＮＯ」の文字部分に強く印象付けられ、「ヴァレンティノ」とも呼ばれる「Ｖａｌｅｎｔｉｎｏ　Ｇａｒａｖａｎｉ(ヴァレンティノ　ガラヴァーニ)」のブランドを連想、想起し、該商品が「Ｖａｌｅｎｔｉｎｏ　Ｇａｒａｖａｎｉ(ヴァレンティノ　ガラヴァーニ)」のブランドの一種、ないし兄弟ブランドであるとの誤解を生ずるか、あるいは「Ｖａｌｅｎｔｉｎｏ　Ｇａｒａｖａｎｉ(ヴァレンティノ　ガラヴァーニ)」、もしくはその関連会社と組織的、経済的に何らかの関係がある者の業務に係る商品であるかのように認識する蓋然性が極めて高いというべきである。
　したがって、本件商標は、これをその指定商品について使用するときは、「Ｖａｌｅｎｔｉｎｏ　Ｇａｒａｖａｎｉ(ヴァレンティノ　ガラヴァーニ)」の「ＶＡＬＥＮＴＩＮＯ(ヴァレンティノ)商標」を使用した商品との間に、出所の混同を生ずるおそれがあるものといわなければならない。
７　商標法第４条第１項第１５号に関する被請求人の主張について
（１）答弁について
　被請求人は、「ＶＡＬＥＮＴＩＮＯ」が「ＶＡＬＥＮＴＩＮＯ(ヴァレンティノ)商標」の略称として、著名ではない旨主張し、第１７類、第２０類、第２１類、第２３類等の登録例、審査・審判例を挙げている。
　しかしながら、前記２．及び５．で認定したように、「Ｖａｌｅｎｔｉｎｏ　Ｇａｒａｖａｎｉ(ヴァレンティノ　ガラヴァーニ)」は、１９６７年に、白だけの服のファッションショーを開いて、ファッション界にセンセーションを巻き起こし、その名声を確立した。我が国においても、昭和５０年代はじめには、同デザイナーが手がけた被服等が新聞雑誌等を通じて紹介され、商品のデザインがエレガントであることなどの理由により、その名前は、ファッション関連の業界にとどまらず、一般の消費者の間にも広く知られるようになったということができる。そして、我が国においては、「Ｖａｌｅｎｔｉｎｏ　Ｇａｒａｖａｎｉ(ヴァレンティノ　ガラヴァーニ)」、ないし同デザイナーのデザインに係る商品群について使用される「ＶＡＬＥＮＴＩＮＯ(ヴァレンティノ)商標」が、単に「ヴァレンティノ」と表示されている事実があることからすると、「ヴァレンティノ」若しくは「ＶＡＬＥＮＴＩＮＯ」との表記から、一般の消費者は、「Ｖａｌｅｎｔｉｎｏ　Ｇａｒａｖａｎｉ(ヴァレンティノ　ガラヴァーニ)」の「ＶＡＬＥＮＴＩＮＯ(ヴァレンティノ)商標」を連想、想起するというのが相当である。
　そして、「Ｖａｌｅｎｔｉｎｏ　Ｇａｒａｖａｎｉ(ヴァレンティノ　ガラヴァーニ)」以外の、「ＶＡＬＥＮＴＩＮＯ」の文字を含むデザイナーに係る商品のブランドが、単に「ヴァレンティノ」若しくは「ＶＡＬＥＮＴＩＮＯ」と略称されている事実は存在しない。
　また、本件商標の指定商品を含めた他の商品の区分において、「ＶＡＬＥＮＴＩＮＯ」の文字を含む商標が登録されている事実が存在するとしても、本件商標をその指定商品に使用した場合に、その登録出願時から査定時において、「Ｖａｌｅｎｔｉｎｏ　Ｇａｒａｖａｎｉ(ヴァレンティノ　ガラヴァーニ)」の「ＶＡＬＥＮＴＩＮＯ(ヴァレンティノ)商標」を使用した商品との間に、出所の混同を生ずるおそれがあったか否かの問題であるから、被請求人が挙げる登録商標等の存在に、前記認定が左右されるものではない。
（２）職権でした証拠調べに対する意見について
 ア　被請求人は、各証拠とも、記事中の「ヴァレンティノ　ガラヴァーニ」の記載との関係で、単に簡略的に用いられているにすぎず、これをもって「ヴァレンティノ」が著名な略称とすることはできない旨主張する。
　しかしながら、上記のとおり、「Ｖａｌｅｎｔｉｎｏ　Ｇａｒａｖａｎｉ(ヴァレンティノ　ガラヴァーニ)」、ないし同デザイナーのデザインに係る商品群について使用される「ＶＡＬＥＮＴＩＮＯ(ヴァレンティノ)商標」が、ファッション関連商品の分野の取引者及び需要者の間に極めて著名であること、これらが単に「ヴァレンティノ」と略称されている事実が存在すること、及び「Ｖａｌｅｎｔｉｎｏ　Ｇａｒａｖａｎｉ(ヴァレンティノ　ガラヴァーニ)」以外の、「ＶＡＬＥＮＴＩＮＯ」の文字を含むデザイナーに係る商品のブランドが、単に「ヴァレンティノ」若しくは「ＶＡＬＥＮＴＩＮＯ」と略称されている事実は存在しないことからすると、「ヴァレンティノ」の表示から、取引者及び需要者は、直ちに「Ｖａｌｅｎｔｉｎｏ　Ｇａｒａｖａｎｉ(ヴァレンティノ　ガラヴァーニ)」、ないし同デザイナーのデザインに係る商品群について使用される「ＶＡＬＥＮＴＩＮＯ(ヴァレンティノ)商標」を想起することは明らかであり、このように、「ヴァレンティノ」の表示は、「ＶＡＬＥＮＴＩＮＯ(ヴァレンティノ)商標」の略称として広く知られているといえる。
イ　被請求人は、「Ｖａｌｅｎｔｉｎｏ　Ｇａｒａｖａｎｉ(ヴァレンティノ　ガラヴァーニ)」以外の、「ＶＡＬＥＮＴＩＮＯ」の文字を含むデザイナーは、その使用する商標を他のデザイナーに係る商品と誤認混同が生ずるような商標の使用を避けるため、一連に表示して棲み分けを図っている。
　このような取引の実情からみても、「ＶＡＬＥＮＴＩＮＯ」の文字を含む商標は一体のものとしてみるべきであり、過去の登録異議の決定においても一体の商標であるとの判断をしている旨主張する。
　しかしながら、「Ｖａｌｅｎｔｉｎｏ　Ｇａｒａｖａｎｉ(ヴァレンティノ　ガラヴァーニ)」以外の、「ＶＡＬＥＮＴＩＮＯ」の文字を含むデザイナーがその商品に「ＶＡＬＥＮＴＩＮＯ」の文字を含めた商標を一連で使用しているのは、単に「ヴァレンティノ」若しくは「ＶＡＬＥＮＴＩＮＯ」と略称され、著名であるという事実がなく、「ＶＡＬＥＮＴＩＮＯ」の文字のみを使用すれば、「Ｖａｌｅｎｔｉｎｏ　Ｇａｒａｖａｎｉ(ヴァレンティノ　ガラヴァーニ)」のデザインに係る商品と誤認される場合があるからとみるべきである。
　また、一般の消費者が、「ＶＡＬＥＮＴＩＮＯ(ヴァレンティノ)商標」以外の「ＶＡＬＥＮＴＩＮＯ」の文字を含むブランドについて、「Ｖａｌｅｎｔｉｎｏ　Ｇａｒａｖａｎｉ(ヴァレンティノ　ガラヴァーニ)」の取り扱いに係る商品群に使用される「ＶＡＬＥＮＴＩＮＯ(ヴァレンティノ)商標」と誤認混同を生じていないとする証拠もないことから、被請求人主張の「棲み分け」ができていると断定することもできない。
（３）したがって、被請求人の主張は採用できない。
８　むすび
　してみれば、本件商標は、商標法第４条第１項第１５号に違反して登録されたものといわざるを得ないから、同法第４６条第１項の規定により、その登録は無効とすべきものである。
　よって、結論のとおり審決する。